(57)【要約】【課題】安価であり、かつ簡便な構造で任意に水位を調節することができる水位調節装置を提供する。【解決手段】水田の外で畦に埋設されて上端が地表で開放される筒状の本体部１１と、この本体部１１の外側と内側とを連絡し、本体部１１の内側で上方に向けられた上向き開口部１４が、水田の底面より下方に配置された第一管１３と、水田の底面より下方で本体部１１の外側と内側とを連絡する第二管２４と、接続口部１８と排水口部１７とが備えられて接続口部１８が上向き開口部１４に着脱可能な調節管１６とから水位調節装置１０を構成し、長さが異なる各調節管１９，２０，２１，２２，２３に交換することで、排水口部１７を通じて排水される水の水位を変化させると共に水田の水位を調節する。【選択図】図１
0003188063.tif 000002
【実用新案登録請求の範囲】
【請求項１】
水田に供給される水が流れる暗渠管の下流側に備えられた水位調節装置において、
水田の外で地中に埋設されて上端が地表で開放される筒状の本体部と、
前記本体部の外側と内側とを連絡し、前記本体部の内側で上方に向けられた上向き開口部が、前記水田の底面より下方に配置された第一管と、
前記水田の底面より下方で前記本体部の外側と内側とを連絡する第二管と、
接続口部と排水口部とが備えられて前記接続口部が前記第一管の前記上向き開口部に着脱可能な調節管と、
が備えられ、
長さが異なる前記調節管に交換されることで、前記排水口部を通じて排水される前記水の水位が変化すると共に前記水田の水位が調節される、
ことを特徴とする水位調節装置。
【請求項２】
前記排水口部の位置が、前記水田の底面よりも下方、前記水田の底面と同位、および前記水田の底面よりも上方で前記地表まで、のいずれかである前記調節管から選択される、
ことを特徴とする請求項１に記載された水位調節装置。
【請求項３】
前記暗渠管が前記本体部の外側で前記第一管に接続され、前記水が前記排水口部から前記本体部内に排水される、
ことを特徴とする請求項１または請求項２に記載された水位調節装置。
【請求項４】
前記暗渠管が前記本体部の外側で前記第二管に接続され、前記水が前記排水口部から前記本体の外側に排水される、
ことを特徴とする請求項１または請求項２に記載された水位調節装置。
【考案の詳細な説明】
【技術分野】
【０００１】
本考案は、水田の水位を調節するために用いられる水位調節装置に関する。
【背景技術】
【０００２】
従来、水位調節装置は水田の地下に施設された暗渠管の下流側に備えられ、水田の水位を調節するために用いられている。すなわち、水位が調節されることで、例えば稲の幼苗の植え付け時や、その生育時は、水田に供給される灌漑水の水位が底面上１０ｃｍ程度に維持され、一方、稲の苗が成長した後は、水田が干上げられて稲が刈り取られる。また、野菜や花卉などが栽培される場合、水田が休耕田として用いられ、植物の根に合わせて水位が地中に調節される。
【考案の概要】
【考案が解決しようとする課題】
【０００３】
上記したとおり、水田では栽培される植物に応じて適切な水位があるため、任意に水位を調節できることが望ましい。また、安価であり、かつ簡便な構成であることが望ましい。
【０００４】
本考案は、上記の実情に鑑みて提案されたものである。すなわち、安価であり、かつ簡便な構造で任意に水位を調節することができる水位調節装置の提供を目的とする。
【課題を解決するための手段】
【０００５】
上記目的を達成するために、本考案に係る水位調節装置は、水田に供給される水が流れる暗渠管の下流側に備えられた水位調節装置において、水田の外で地中に埋設されて上端が地表で開放される筒状の本体部と、前記本体部の外側と内側とを連絡し、前記本体部の内側で上方に向けられた上向き開口部が、前記水田の底面より下方に配置された第一管と、前記水田の底面より下方で前記本体部の外側と内側とを連絡する第二管と、接続口部と排水口部とが備えられて前記接続口部が前記第一管の前記上向き開口部に着脱可能な調節管と、が備えられ、長さが異なる前記調節管に交換されることで、前記排水口部を通じて排水される前記水の水位が変化すると共に前記水田の水位が調節される、ことを特徴とする。
【０００６】
前記排水口部の位置が、前記水田の底面よりも下方、前記水田の底面と同位、および前記水田の底面よりも上方で前記地表まで、のいずれかである前記調節管から選択される、ことを特徴とする。
【０００７】
前記暗渠管が前記本体部の外側で前記第一管に接続され、前記水が前記排水口部から前記本体部内に排水される、ことを特徴とする。
【０００８】
前記暗渠管が前記本体部の外側で前記第二管に接続され、前記水が前記排水口部から前記本体の外側に排水される、ことを特徴とする。
【考案の効果】
【０００９】
本考案に係る水位調節装置は、上記した構成である。この構成により、調節管の長さに応じて水田の水位が調節される。すなわち、暗渠管内では水圧がつり合うため、いわゆる連通管と同様に本体部の水位と水田の水位とが同じになる。本体部内に流入した灌漑水は、排水口部を通じて排水されることから水位が排水口部の位置となるため、排水口部の位置が変化することで水田の水位が調節される。排水口部の位置の変化は調節管の長さに起因し、長さが異なる様々な調節管が第一管の開口部に着脱可能である。したがって、安価であり、かつ簡便な構造で任意に水位を調節することができる。
【００１０】
本考案に係る水位調節装置は、排水口部の位置が、水田の底面よりも下方、水田の底面と同位、および水田の底面よりも上方で地表まで、のいずれかである調節管から選択される。この構成により、選択された調節管に応じて、排水口部を通じて排水される水位が調節される。
【図面の簡単な説明】
【００１１】
【図１】本考案の第一実施形態に係る水位調節装置の縦断面が示された縦断面図である。
【図２】本考案の第一実施形態に係る水位調節装置の使用例を説明する斜視説明図である。
【図３】本考案の第一実施形態に係る水位調節装置の使用例を説明する断面説明図である。
【図４】本考案の第二実施形態に係る水位調節装置の縦断面が示された縦断面図である。
【図５】本考案の第二実施形態に係る水位調節装置の使用例を説明する斜視説明図である。
【考案を実施するための形態】
【００１２】
以下に、本考案の実施形態を図面に基づいて説明する。図１に本考案の第一実施形態に係る水位調節装置１０の縦断面が示され、図２および図３に水位調節装置１０の使用例が示されている。なお、以下の説明において、上方とは水田１の地上方向をいい、下方とは地下（地中）方向をいう。
【００１３】
図１、および図２に示されているとおり、第一実施形態に係る水位調節装置１０は、水田１の外で畦３などの地中に埋設される本体部１１、この本体部１１に取り付けられるレジン製の蓋（レジン蓋１２）、本体部１１の外側と内側とを連絡する第一管１３および第二管２４、第一管１３に接続される調節管１６から形成されている。
【００１４】
本体部１１は略円筒状であり、レジン製の複数の管が連結されて形成されている。本体部１１の下端は閉塞され、一方、上端は開放されている。上端は本体の開口部であり、レジン蓋１２が取り付けられることで閉塞される。レジン蓋１２は上端近傍にチェーンで繋がれている。本体部１１の下端側の側面は第一管１３および第二管２４がそれぞれ側方に貫通している。
【００１５】
第一管１３は略Ｌ字状であり、一方の開口部である上向き開口部１４と、他方の開口部である横向き開口部１５とが形成されている。上向き開口部１４は本体部１１の内側で上方に向けられて調節管１６が接続され、一方、横向き開口部１５は本体部１１の外側に突出して本体部１１の外側と内側とを連絡し、外側に取水管４が接続される。取水管４は暗渠管５の一部であり、暗渠管５の途中に接続されている（図２参照）。
【００１６】
調節管１６は直線状の硬質塩化ビニル製（ＶＵ管）であり、上方の開口部である排水口部１７と、下方の開口部である接続口部１８とが形成されている。調節管１６は、接続口部１８が第一管１３の上向き開口部１４に接続されると共に、排水口部１７が本体部１１の内側で上方に向けられる。調節管１６は第一調節管１９から第五調節管２３まで、長さが異なる複数の管から構成されている。各調節管１９から２３は、第一調節管１９から第五調節管２３まで順番に、徐々に短く形成され、第一管１３の上向き開口部１４から本体部１１の上端までの間に収まる長さに形成されている。
【００１７】
各調節管１９から２３は上向き開口部１４に着脱可能であり、第一調節管１９が第一管１３に接続された場合、排水口部１７は最も上方に配置され、一方、第五調節管２３が第一管１３に接続された場合、排水口部１７は最も下方に配置される。
【００１８】
第二管２４は直線状であり、本体部１１の内側と外側とを連絡している。第二管２４は本体部１１の外側に連絡管６が接続される。連絡管６は排水路８に繋げられている（図２参照）。
【００１９】
上記のとおり、水位調節装置１０が構成されている。
【００２０】
次に、水位調節装置１０の使用例を図面に基づいて説明する。
【００２１】
図２および図３に示されているとおり、水田１は畦３が周囲に形成され、水田１に供給される灌漑水が流れる暗渠管５が地下に敷設されている。暗渠管５の下流側は取水管４が取り付けられて灌漑水が分流される。更に下流側は水閘７が取り付けられて灌漑水の流量が調節される。取水管４は水位調節装置１０を介して連絡管６が接続されている。連絡管６は排水路８に繋げられている。
【００２２】
水位調節装置１０は上端が地表に揃えられる深さで畦３に埋設され、上端がレジン蓋１２で閉じられている。第一管１３は水田１の底面２より下方に配置され、上向き開口部１４に第一調節管１９（または第四調節管２２、第五調節管２３）が接続され、本体部１１の外側で横向き開口部１５に取水管４が接続されている。第二管２４は水田１の底面２より下方に配置され、本体部１１の外側で連絡管６が接続されている。
【００２３】
ここで、水田１の水位１００は排水口部１７の位置で決定され、また排水口部１７の位置は調節管１６の長さに起因する。排水口部１７の位置が底面２よりも下方である第五調節管２３が選択された場合、水田１の水位１００が底面２よりも下方である地中に調節される。排水口部１７の位置が底面２と同位である第四調節管２２が選択された場合、水田１の水位１００が底面２と同位に調節される。排水口部１７の位置が底面２よりも上方で畦３の地表までの間である第一調節管１９、第二調節管２０、または第三調節管２１が選択された場合、水田１の水位１００が底面２よりも上方に調節される。
【００２４】
すなわち、供給された水が地下灌漑の灌漑水として暗渠管５を流れると、暗渠管５の下流側では水閘７が閉じられているため、灌漑水は取水管４に分流する。灌漑水は取水管４から第一管１３を介して第一調節管１９に流入する。第一調節管１９内の水位１０１が上昇すると共に水田１の水位１００が上昇する。その際、暗渠管５および取水管４では水圧がつり合うため、第一調節管１９内の水位１０１と水田１の水位１００とがほぼ同じになる。水位１０１が第一調節管１９の排水口部１７に達すると灌漑水が溢れるため、第一調節管１９内の水位１０１は水田１の水位１００と共に排水口部１７の位置で一定に保たれる。溢れて本体部１１内に流れた灌漑水は第二管２４を介して連絡管６に流入し、排水路８に流される。
【００２５】
仮に第四調節管２２が第一管１３の上向き開口部１４に接続されている場合、第四調節管２２の排水口部１７が水田１の底面２と同位であるため、水田１の水位１００は底面２となる。また、仮に第五調節管２３が第一管１３の上向き開口部１４に接続されている場合、第五調節管２３の排水口部１７が水田１の底面２よりも下方に配置されるため、水田１の水位１００は底面２よりも下方に保たれる。
【００２６】
このように、調節管１６が交換されることで排水口部１７の位置が変化し、排水口部１７から本体部１１内に排水される灌漑水の水位１０１が変化することで水田１の水位１００が調節される。
【００２７】
次に、本考案の第二実施形態に係る水位調節装置３０と、その使用例を図面に基づいて説明する。図４に水位調節装置３０の縦断面が示され、図５に水位調節装置３０の使用例が示されている。なお、以下では第一実施形態と異なる構成についての説明がなされ、同じ構成についての説明が省略されている。
【００２８】
図４に示されているとおり、第二実施形態に係る水位調節装置３０は、本体部１１の外側で第一管１３の横向き開口部１５に連絡管６が接続され、第二管２４に取水管４が接続されている。他の構成は水位調節装置１０と同じである。
【００２９】
図５に示されているとおり、灌漑水は取水管４から第二管２４を介して本体部１１内に流入する。本体部１１内の水位１０１が上昇すると共に水田１の水位１００が上昇する。その際、暗渠管５および取水管４では圧力がつり合うため、本体部１１内の水位１０１と水田１の水位１００とがほぼ同じになる。水位１０１が第一調節管１９の排水口部１７に達すると灌漑水が第一調節管１９内に流入するため、本体部１１内の水位１０１は水田１の水位１００と共に排水口部１７の位置で一定に保たれる。流入して第一調節管１９内に流入した灌漑水は第一管１３を介して連絡管６から排水路８に流れる。調節管１６が交換されることで排水口部１７の位置が変化し、排水口部１７から本体部１１の外に排水される灌漑水の水位１０１が変化することで水田１の水位１００が調節される。
【００３０】
次に、水位調節装置１０，３０の効果について説明する。
【００３１】
上記したとおり、水位調節装置１０，３０によれば、調節管１６は第一調節管１９から第五調節管２３まで、長さが異なる複数の管から構成されている。各調節管１９から２３は上向き開口部１４に着脱可能であり、排水口部１７の位置が底面２よりも下方である第五調節管２３が選択された場合、水田１の水位１００が底面２よりも下方である地中に調節される。排水口部１７の位置が底面２と同位である第四調節管２２が選択された場合、水田１の水位１００が底面２と同位に調節される。排水口部１７の位置が底面２よりも上方で畦３の地表までの間である第一調節管１９、第二調節管２０、または第三調節管２１が選択された場合、水田１の水位１００を底面２よりも上方に調節される。
【００３２】
この構成により、調節管１６の長さに応じて水田１の水位１００が調節される。すなわち、暗渠管５および取水管４では水圧がつり合うため、いわゆる連通管と同様に第一調節管１９内の水位１０１と水田１の水位１００とが同じになる。本体部１１内に流入した灌漑水は、排水口部１７を通じて排水されることから水位が排水口部１７の位置となるため、排水口部１７の位置が変化することで水田１の水位１００が調節される。排水口部１７の位置の変化は調節管１６の長さに起因し、長さが異なる様々な各調節管１９から２３が第一管１３の上向き開口部１４に着脱可能である。したがって、安価であり、かつ簡便な構造で任意に水位を調節することができる。
【００３３】
以上、本考案の実施形態の一つを例示して詳述したが、本考案は上記実施形態に限定されるものではない。そして本考案は、実用新案登録請求の範囲に記載された事項を逸脱することがなければ、種々の設計変更を行うことが可能である。
【符号の説明】
【００３４】
１                水田
２                底面
３                畦
４                取水管
５                暗渠管
６                連絡管
７                水閘
８                排水路
１０、３０        水位調節装置
１１              本体部
１２              レジン蓋
１３              第一管
１４              上向き開口部
１５              横向き開口部
１６              調節管
１７              排水口部
１８              接続口部
１９              第一調節管
２０              第二調節管
２１              第三調節管
２２              第四調節管
２３              第五調節管
２４              第二管
１００            水田の水位
１０１            水位調節管の水位
【図１】
0003188063.tif 000003
【図２】
0003188063.tif 000004
【図３】
0003188063.tif 000005
【図４】
0003188063.tif 000006
【図５】
0003188063.tif 000007